(57)【特許請求の範囲】
【請求項１】
粉粒体の保持空間を有する保持槽の上部側に設けられた投入口と、
保持槽の保持空間に連通し、保持槽内に投入された粉粒体からの粉塵を保持槽外に吸引排出する吸引装置と、
保持槽の側壁との間に空隙を開けて上部を閉鎖した状態で中央側にせり出した位置に設けられ、表面側を投入口から投入される粉粒体の下降案内面とするとともに、裏面と保持槽の側壁との間に周状の連通空隙であって保持空間に連通する周状空隙を形成する周状垂壁であり、投入される粉粒体が所定量より少ない場合には、投入口から周状垂壁の下方側を経由して吸引装置による吸引経路に連通する第１の吸引経路を形成する周状垂壁と、を含み、
投入される粉粒体が所定量以上となると周状垂壁に設けられた開口を介して吸引装置による吸引経路と保持層の外部とを連通させる第２の吸引経路を確保する吸引経路確保手段を備え、
吸引経路確保手段は、投入される粉粒体自体の接触で周状垂壁に形成された開口の開閉シャッタを自動的に開放し吸引経路に連通させる接触開閉装置からなることを特徴とする粉粒体投入口の発塵抑制装置。
【請求項２】
接触開閉装置は、一部を周状側壁に枢着され他部を自由端として周状側壁の開口を開閉する扉を含む請求項１記載の粉粒体投入口の発塵抑制装置。
【請求項３】
扉は、周状垂壁に上端側を枢支され下端側を自由端として周状側壁の開口を開閉することを特徴とする請求項２記載の粉粒体投入口の発塵抑制装置。
【請求項４】
扉が設置される周状垂壁の部分が垂直状壁であることを特徴とする請求項２又は３記載の粉粒体投入口の発塵抑制装置。
【請求項５】
保持槽内であって、周状垂壁を受けるように周状垂壁の直下部に篩部材を水平状に設置した請求項１ないし４のいずれかに記載の粉粒体投入口の発塵抑制装置。
【請求項６】
粉粒体の保持空間を有する保持槽の上部側に設けられた投入口と、
保持槽の保持空間に連通し、保持槽内に投入された粉粒体からの粉塵を保持槽外に吸引排出する吸引装置と、
保持槽の側壁との間に空隙を開けて上部を閉鎖した状態で中央側にせり出した位置に設けられ、表面側を投入口から投入される粉粒体の下降案内面とするとともに、裏面と保持槽の側壁との間に周状の連通空隙であって保持空間に連通する周状空隙を形成する周状垂壁であり、投入される粉粒体が所定量より少ない場合には、投入口から周状垂壁の下方側を経由して吸引装置による吸引経路に連通する第１の吸引経路を形成する周状垂壁と、を含み、
投入される粉粒体が所定量より少ない場合には周状垂壁に設けられた開口を開閉シャッタで閉鎖するとともに、投入される粉粒体が所定量以上となると該周状垂壁に設けられた開口の開閉シャッタを開放して吸引装置による吸引経路と保持層の外部とを連通させる第２の吸引経路を確保する吸引経路確保手段を備えたことを特徴とする粉粒体投入口の発塵抑制装置。
【発明の詳細な説明】
【技術分野】
【０００１】
本発明は、例えば、小麦粉等の穀物、セメント、砕石等の粉粒体投入口の発塵抑制装置に関する。
【背景技術】
【０００２】
例えば、トラック等に荷積みした小麦粉等の農産物やセメント等の粉粒体をサイロやチェーンコンベア等の搬送装置やホッパ等の投入口を介して投入する際、粉塵が大量に発生する。よって、飛散した粉塵を作業者が吸込むことによる健康被害や粉塵爆発の危険性、又は周囲の床や施設等に粉塵が付着堆積して清掃が必要となる等の問題があった。
【０００３】
また、特許文献１には、粉粒体の荷扱い時に粉塵が飛散するのを防止するのを目的とした集塵機能を有するホッパが提案されている。特許文献１のホッパでは、四周を囲むホッパの側壁の上端から側壁内方へ突出する邪魔板を四周に設けるとともに、ホッパの中央開口部に邪魔板の先端から垂下させて防風板を設けており、一方側の邪魔板に２枚の板を対向させて断面ｙ形状に集塵口を設け、該対向させた２枚の板の少なくとも片方を開閉自在に構成している。粉粒体をホッパ内に投入した際には、中央開口部から垂下させた防風板によりホッパ内で発生する粉塵の一部をホッパ内に閉じ込めるとともに、集塵口を介してホッパの外部まで飛散した粉塵のうちホッパ上に落下した粉塵を集めてホッパ内に戻すものであった。
【０００４】
【特許文献１】特開平８−１５７０７３号公報
【発明の開示】
【発明が解決しようとする課題】
【０００５】
しかしながら、特許文献１のホッパでは、ホッパの上部側の邪魔板に集塵口を設けているが、例えば、ホッパの中央開口部から粉粒体を大量に投入した場合には、邪魔板の下端側を塞ぐように大量に保持されてしまう結果、該邪魔板による粉塵のホッパ内への閉じ込め機能が全く又はほとんど機能せず、ホッパ外部へ大量に粉塵が飛散してしまう問題があった。また、粉粒体の投入量がある程度少ない場合でも、中央開口部から垂下させた防風板の構成だけでは、粉塵のホッパ外への飛散を確実には防止できないため、上記のような健康被害、粉塵爆発等の問題を十分には解決できないものであった。
【０００６】
本発明は上記従来の課題に鑑みてなされたものであり、その一つの目的は、投入口から保持空間内に粉粒体を投入する際に、外部へ粉粒体からの粉塵が飛散するのを良好に防止でき、特に粉粒体を大量に投入した場合でも良好に粉塵の発生を抑制できる粉粒体投入口の発塵抑制装置を提供することにある。
【課題を解決するための手段】
【０００７】
上記課題を解決するために本発明は、粉粒体の保持空間１２を有する保持槽（２４）の上部側に設けられた投入口１４と、保持槽（２４）の保持空間１２に連通し、保持槽（２４）内に投入された粉粒体からの粉塵を保持槽外に吸引排出する吸引装置１６と、保持槽（２４）の側壁２２との間に空隙を開けて上部を閉鎖した状態で中央側にせり出した位置に設けられ、表面側を投入口１４から投入される粉粒体の下降案内面とするとともに、裏面と保持槽（２４）の側壁２２との間に周状の連通空隙であって保持空間１２に連通する周状空隙３０を形成する周状垂壁１８であり、投入される粉粒体が所定量より少ない場合には、投入口１４から周状垂壁１８の下方側を経由して吸引装置１６による吸引経路に連通する第１の吸引経路Ｒ１を形成する周状垂壁１８と、を含み、投入される粉粒体が所定量以上となると周状垂壁に設けられた開口３２を介して吸引装置１６による吸引経路と保持層（２４）の外部とを連通させる第２の吸引経路Ｒ２を確保する吸引経路確保手段２０を備え、吸引経路確保手段２０は、投入される粉粒体自体の接触で周状垂壁１８に形成された開口３２の開閉シャッタ（３４）を自動的に開放し吸引経路に連通させる接触開閉装置３８からなることを特徴とする粉粒体投入口の発塵抑制装置１０から構成される。発塵抑制装置１０は、例えば、サイロや種々の貯留タンクの投入口、バケットコンベアやチェーンコンベア等の搬送装置や搬送車等の投入口、或いはそれらの投入口に取り付けられるホッパの投入口等、その他種々の粉粒体投入口に適用できる。周状垂壁１８は、例えば、横断面が矩形状、その他の多角形状、円形状等任意の形状でよく、保持槽の横断面形状に対応して設けることとしてもよい。
【０００８】
また、接触開閉装置３８は、一部を周状側壁１８に枢着され他部を自由端として周状側壁の開口３２を開閉する扉３４を含むこととしてもよい。
【０００９】
また、扉３８は、周状垂壁１８に上端側を枢支され下端側を自由端として周状側壁の開口３２を開閉することとしてもよい。
【００１０】
また、扉３４が設置される周状垂壁１８の部分が垂直状壁２８であることとしてもよい。
【００１１】
また、保持槽（２４）内であって、周状垂壁１８を受けるように周状垂壁の直下部に篩部材４２を水平状に設置したこととしてもよい。篩部材４２は、例えば、グレーチング、金網、パンチ孔付板部材等、粉粒体の粒径に対応した任意の大きさの目を有するものでよい。篩部材４２は、広面積の一枚のグレーチング材等で構成してもよいし、複数枚のグレーチング材を並設して構成してもよい。
【００１２】
また、粉粒体の保持空間１２を有する保持槽（２４）の上部側に設けられた投入口１４と、保持槽（２４）の保持空間１２に連通し、保持槽（２４）内に投入された粉粒体からの粉塵を保持槽外に吸引排出する吸引装置１６と、保持槽（２４）の側壁２２との間に空隙を開けて上部を閉鎖した状態で中央側にせり出した位置に設けられ、表面側を投入口１４から投入される粉粒体の下降案内面とするとともに、裏面と保持槽（２４）の側壁２２との間に周状の連通空隙であって保持空間１２に連通する周状空隙３０を形成する周状垂壁１８であり、投入される粉粒体が所定量より少ない場合には、投入口１４から周状垂壁１８の下方側を経由して吸引装置１６による吸引経路に連通する第１の吸引経路Ｒ１を形成する周状垂壁１８と、を含み、投入される粉粒体が所定量より少ない場合には周状垂壁１８に設けられた開口３２を開閉シャッタ（３４）で閉鎖するとともに、投入される粉粒体が所定量以上となると該周状垂壁１８に設けられた開口３２の開閉シャッタ（３４）を開放して吸引装置１６による吸引経路と保持層（２４）の外部とを連通させる第２の吸引経路を確保する吸引経路確保手段２０を備えたことを特徴とする粉粒体投入口の発塵抑制装置１０から構成される。吸引経路確保手段２０は、投入される粉粒体が所定量より少ない場合には、周状垂壁１８の開口３２を閉鎖しておき、投入される粉粒体が所定量以上の場合に、周状垂壁１８の開口３２を開放する開閉装置を備えるとよい。この際、開閉装置は手動又は自動で開口３２を開閉制御できる構成としてもよい。
【発明の効果】
【００１３】
本発明の粉粒体投入口の発塵抑制装置によれば、粉粒体の保持空間を有する保持槽の上部側に設けられた投入口と、保持槽の保持空間に連通し、保持槽内に投入された粉粒体からの粉塵を保持槽外に吸引排出する吸引装置と、保持槽の側壁との間に空隙を開けて上部を閉鎖した状態で中央側にせり出した位置に設けられ、表面側を投入口から投入される粉粒体の下降案内面とするとともに、裏面と保持槽の側壁との間に周状の連通空隙であって保持空間に連通する周状空隙を形成する周状垂壁であり、投入される粉粒体が所定量より少ない場合には、投入口から周状垂壁の下方側を経由して吸引装置による吸引経路に連通する第１の吸引経路を形成する周状垂壁と、を含み、投入される粉粒体が所定量以上となると周状垂壁に設けられた開口を介して吸引装置による吸引経路と保持層の外部とを連通させる第２の吸引経路を確保する吸引経路確保手段を備えたことから、保持槽内に投入される粉粒体が所定量より少ない場合には粉粒体から発生する粉塵が周状垂壁で粉塵の外部へ飛散するのを防止しつつ第１の吸引経路を介して吸引装置により吸引排出するとともに、投入される粉粒体が所定量以上となる場合でも吸引経路確保手段により第２の吸引経路を確保して粉粒体から発生する粉塵を吸引装置により確実に吸引排出することができる結果、粉粒体の投入量の多少に関わらず常に投入口から保持槽外部側への発塵を抑制でき、作業者の健康被害、粉塵爆発等を良好に防止できる。
【００１４】
また、吸引経路確保手段は、投入される粉粒体自体の接触で周状垂壁に形成された開口の開閉シャッタを自動的に開放し吸引経路に連通させる接触開閉装置からなる構成とすることにより、投入された粉粒体が所定量以上となる場合に該粉粒体が周状垂壁に接触すると自動的にその開口を開放して第２の吸引経路を確実に確保でき、扉の開閉制御を簡便に行うことができ、実用性が高い。
【００１５】
また、接触開閉装置は、一部を周状側壁に枢着され他部を自由端として周状側壁の開口を開閉する扉を含む構成とすることにより、周状側壁に形成される開口の開閉シャッタ構造を簡単な構造で実現でき、メンテナンスも簡単に行える。
【００１６】
また、扉は、周状垂壁に上端側を枢支され下端側を自由端として周状側壁の開口を開閉する構成とすることにより、下端側を自由端としているので粉粒体が所定量以上となる場合には扉に接触した際に粉粒体に押されて容易かつ確実に開口を開放できるとともに、周状側壁の開口の開閉シャッタ構造を簡単かつシンプルな構造で製造できる。
【００１７】
また、扉が設置される周状垂壁の部分が垂直状壁であることから、投入した粉粒体が所定量以下の際には投入される粉粒体が直接扉に当たることがないとともに該扉が自重作用により閉鎖状態を良好に保持でき、簡単な構造で確実性が高い扉の開閉構成を具現できる。
【００１８】
また、保持槽内であって、周状垂壁を受けるように周状垂壁の直下部に篩部材を水平状に設置した構成とすることにより、篩部材により例えば、粉粒体の粒径よりも大きな径の異物が保持槽内に投入されるのを防止できる。
【発明を実施するための最良の形態】
【００１９】
以下添付図面を参照しつつ本発明の粉粒体投入口の発塵抑制装置について説明する。本発明の粉粒体投入口の発塵抑制装置は、例えば、サイロやバケット搬送装置等に小麦、大麦その他の穀物、セメント、砕石、金属粉等の粉粒体を投入口から投入する際に、該粉粒体の微細な粒子が空気中に飛散して発塵するのを良好に抑制できるものである。図１ないし図４は、本発明の投入口の発塵抑制装置の一実施形態を示している。本実施形態において、粉粒体投入口の発塵抑制装置（以下、単に「発塵抑制装置」ともいう）１０は、図１、図２、図３に示すように、粉粒体の保持空間１２を有する保持槽の上部側に設けられた投入口１４と、粉粒体からの粉塵を吸引排出する吸引装置１６と、保持槽の中央側にせり出した位置に設けられた周状垂壁１８と、吸引経路確保手段２０と、を含む。
【００２０】
本実施形態では、図１、図３、図４に示すように、保持空間１２を有する保持槽は、例えば、小麦粉等の粉粒体をサイロ等に搬送するチェーンコンベア１００に粉粒体を投入するための漏斗型のホッパ２４を含む。ホッパ２４は、例えば、保持空間１２の４周を囲む４つの金属製の側壁２２を有し、上端側に平面視横長矩形状の投入口１４を形成しつつ、下端側に投入口よりも小さく設けられた平面視矩形状の排出口２３が形成されており、下方側に向けて徐々に狭くなる角錐形状となっている。排出口２３には開閉自在な開閉板２５が設けられており、開閉板の開放時に下方側に配置されたチェーンコンベア１００内と連通して、保持空間内の粉粒体を該コンベア内に排出させる。本実施形態では、ホッパ２４は、例えば、作業者や搬送用トラック等が自在に往来する作業用床面ＦＬより床下位置に配置されている。ホッパ２４の側壁２２の上部２２ａは、テーパ状に傾斜した本体部分から床上に垂直状に立設しており、該上部２２ａに投入口１４が設けられている。
【００２１】
図１に示すように、吸引装置１６は、ホッパ２４の保持空間１２に連通し、ホッパ２４内に投入された粉粒体からの粉塵をホッパ外に吸引排出する粉塵吸引手段である。吸引装置１６は、例えば、ジャバラ管等の管部材４８を介してホッパ２４の側壁の上部側２２ａに接続された吸引ファン装置からなり、後述の周状空隙３０に吸引口４６を臨ませて保持空間１２に連通した吸引経路を形成している。吸引装置１６は、ホッパ２４内に漂う粉粒体からの粉塵を空気とともに強制的に負圧吸引してホッパの外部側へ排出し、図示しない粉塵貯留部に吸引した粉塵を貯留する。なお、吸引した粉塵を集めてホッパ等の保持槽内やチェーンコンベア内に再び戻すようにしてもよい。図１上では、吸引装置１６は作業用床面ＦＬより下方位置に配置されているが、作業用床面ＦＬより上方に設置してもよい。
【００２２】
図１ないし図４に示すように、周状垂壁１８は、ホッパ２４の側壁との間に空隙を空けて上部を閉鎖した状態で中央側にせり出した位置に設けられている。周状垂壁１８は、例えば、金属製壁部材から設けられており、ホッパの４つの側壁の上部２２ａの上端から中央側に向けて張り出してホッパの保持空間１２の側壁側上部を閉鎖するせり出し壁部２６と、各々のせり出し傾斜壁部２６の先端側から中央に内孔を形成しつつ鉛直真下に垂下された４つの垂直状壁部２８と、を含む。せり出し傾斜壁部２６は、中央側に向けて傾斜しており、表面側を投入口から投入される粉粒体Ｍをスムーズに保持空間１２へ案内する下降案内面を形成している。４つの垂直状壁部２８は短い角筒形状に構成されており、縦に貫通する筒孔部を粉粒体の投入路として投入口と保持空間１２とを連通させ、その表面側をせり出し傾斜壁部２６の表面側と連続させて粉粒体Ｍの下降案内面としている。すなわち、周状垂壁１８は、傾斜壁部２６で構成される四角台錘筒と垂直状壁部２８で構成される角筒とを接続した構造となっている。垂直状壁部２８とせり出し傾斜壁部２６の裏面側とホッパの側壁２２との間に形成される空隙は、角環状に水平方向に周状に連通した周状空隙３０からなる。周状空隙３０は、下方側を開口しておりホッパの保持空間１２と連通している。垂直状壁部２８とせり出し壁部２６とにより、ホッパ内に投入された粉粒体からの粉塵は周状空隙３０に導入され、投入口１４からホッパ外部へ飛散されるのを防止することができる。また周状空隙３０内に導入された粉塵は、上述の側壁２２に開口された吸引口４６を介して、吸引装置１６に吸引排出される。すなわち、周状垂壁１８は、投入口１４から垂直状壁部２８の下方側を経由して吸引装置１６による吸引経路に連通する第１の吸引経路Ｒ１を形成する。なお、周状垂壁１８は、断面視で保持槽の側壁の上端から水平に壁をせり出させて略Ｌ字状に形成されていてもよいし、傾斜壁部２６のみの構成すなわち曲折部を設けず直線状に中央側に向けて下り傾斜状に形成された構成としてもよいし、断面視で円弧状に中央側にせり出しつつ中央側を下方に垂れ下げた壁で形成されていてもよい。
【００２３】
垂直状壁部２８には、横方向に貫通した矩形状の開口３２が設けられるとともに、開口３２を開閉する開閉シャッタとしての扉３４が設置されており、吸引経路確保手段２０を構成している。吸引経路確保手段２０は、投入される粉粒体が所定量以上となると垂直状壁部２８の開口３２を介して吸引装置１６による吸引経路とホッパ２４の外部とを連通させる第２の吸引経路Ｒ２を確保する。すなわち、吸引経路確保手段２０は、図１の一点鎖線Ｍ２に示すように所定量以上に粉粒体が投入された保持空間内に堆積した粉粒体が垂直状壁部２８の下端側を塞いで第１の吸引経路Ｒ１を閉鎖してしまう際に、吸引装置１６による吸引経路とホッパ２４の外部とを連通させた第２の吸引経路Ｒ２を確保して、吸引装置１６による粉塵の吸引排出を実効させる。本実施形態では、吸引経路確保手段２０は、粉粒体自体の接触で、開口３２の扉３４を自動的に開放する接触開閉装置３８を含む。具体的には、扉３４は垂直状壁部２８に形成された開口３２よりもやや大きな矩形状の板部材からなり、垂直状壁部２８の裏面側に上端側を複数個の蝶番４０を介して枢支され下端側を自由端としている。これにより、常時はすなわち粉粒体の投入量が少ない場合（図１上、破線Ｍ１）には、扉３４の自重により閉鎖し、周状垂壁１８によって形成される第１の吸引経路Ｒ１を確保する。投入口１４から大量に投入された粉粒体がホッパ内に堆積して（図１、一点鎖線Ｍ２）粉粒体が扉３４に接触する場合には、扉３４は該粉粒体に押されて周状空隙内側に揺動し開口３２を自動的に開放する。これにより、周状垂壁１８の下端側を経由した第１の吸引経路Ｒ１が閉鎖される場合でも、第２の吸引経路Ｒ２を確保し、吸引装置による粉塵を吸引排出することができ、確実にホッパの外部での発塵を抑制できる。なお、粉粒体の投入量を感知するセンサ及び扉を強制的に開閉駆動させるモータやシリンダ等を含む駆動装置等を有する構成としてもよいが、本実施形態のような構成であれば簡単かつシンプルな構造で低コストで製造できる。また、接触開閉装置３８は４つの垂直状壁部２８の全てに設ける構成に限らず、１〜３つの垂直状壁部２８だけに設けても良い。また、接触開閉装置３８は１個の垂直状壁部２８に複数個設けても良い。
【００２４】
図１、図２、図４に示すように、ホッパ２４内には周状垂壁１８を受けるように垂直状壁部２８の直下部に篩部材４２が設置されている。篩部材４２は、例えば、平面視矩形状の複数のメッシュ孔が形成された金属製グレーチング板材からなり、ホッパ２４の側壁２２内側に溶接等により固定された受部４４上に載置されて着脱自在に係止されている。本実施形態では、篩部材４２は垂直状壁部２８が形成する矩形状の開口より大きな面積で設けられており、４周縁をホッパの側壁２２内面に当接（又は近接）させて垂直状壁部２８の下端側を受ける。篩部材４２は、ホッパ２４内より離脱させることができ、例えば清掃を含むメンテナンスを簡便に行える。
【００２５】
なお、図５は投入口１４周辺の構成の他の形態を示しており、図５では、ホッパ２４の矩形状の投入口１４の三辺縁部にコ字状に規制壁５０が上方に立設されており、一方の長辺側のみ開放して形成されている。規制壁５０を設けることにより、例えば、トラックＴ等を規制壁が設けられていない開放側から投入口１４に横付けした状態で荷台から粉粒体を投入口１４に投入する際に、発塵が外部に広がるのを効果的に防止できる。
【００２６】
次に、図６を参照しつつ本実施形態に係る投入口の発塵抑制装置１０の作用を説明する。粉粒体を投入口に投入する前に吸引装置１６を作動させておき、図６に示すように、荷台に粉粒体を積載したトラックＴを投入口１４に近接させ、該荷台を傾けて粉粒体を投入口１４から投入する。この際、粉粒体中の軽い粉塵はホッパの側壁２２に当たって上部に舞い上がりながら飛散し保持空間内で発塵する。これらの飛散する粉塵は、周状垂壁１８によって外部側への飛散を妨げられながら第１の吸引経路Ｒ１を介して周状空隙３０に導入され吸引装置１６によりホッパ外部へ吸引排出される。そして、図の一点鎖線Ｍ２に示すように、大量に粉粒体が投入されて垂直状壁部２８に接触しつつ第１の吸引経路Ｒ１が閉鎖される場合には、該粉粒体が扉３４を押し開いて垂直状壁部２８に形成される開口３２を自動的に開放し、吸引装置１６による吸引経路とホッパの外部とを連通させる第２の吸引経路Ｒ２を確保する。この第２の吸引経路Ｒ２を形成することにより、第１の吸引経路Ｒ１が十分に形成されなくても吸引装置１６による粉塵の吸引排出を行える。したがって、粉粒体の投入量の多少に関わらず常時高い発塵抑制効果を奏することができ、発塵による健康被害や粉塵爆発等を良好に防止できる。
【００２７】
以上説明した本発明の粉粒体投入口の発塵抑制装置は、上記した実施形態のみの構成に限定されるものではなく、特許請求の範囲に記載した本発明の本質を逸脱しない範囲において、任意の改変を行ってもよい。
【産業上の利用可能性】
【００２８】
本発明の粉粒体投入口の発塵抑制装置は、例えば、小麦粉その他の穀物、セメント、砕石、金属粉等が投入される貯留槽や搬送装置等の投入口又はそれらの投入口に取り付けられたホッパの投入口に適用される。
【図面の簡単な説明】
【００２９】
【図１】本発明の本実施形態に係る粉粒体投入口の発塵抑制装置の概略断面図である。
【図２】図１の粉粒体投入口の発塵抑制装置の概略斜視図である。
【図３】図１の粉粒体投入口の発塵抑制装置の平面図である。
【図４】図２のＡ−Ａ線断面図である。
【図５】粉粒体投入口の発塵抑制装置の他の形態の説明図である。
【図６】図１の粉粒体投入口の発塵抑制装置の作用説明図である。
【符号の説明】
【００３０】
１０    発塵抑制装置
１２    保持空間
１４    投入口
１６    吸引装置
１８    周状垂壁
２０    吸引経路確保手段
２２    側壁
２４    ホッパ
２８    垂直状壁部
３０    周状空隙
３２    開口
３４    扉
３８    接触開閉装置
４２    篩部材
Ｒ１    第１の吸引経路
Ｒ２    第２の吸引経路
【図１】
0004337004.tif 000002
【図２】
0004337004.tif 000003
【図３】
0004337004.tif 000004
【図４】
0004337004.tif 000005
【図５】
0004337004.tif 000006
【図６】
0004337004.tif 000007